(57)【特許請求の範囲】
【請求項１】
トラクタの後部に連結して、深耕畝に開口した溝に植え付けした種芋に対し平面視で八字状に配置した一対の土寄せ板で覆土して丸畝を成形すると同時にマルチフイルムを施設する長いもの種芋用の畝立てマルチ装置であって、
長いもの種芋用の畝立てマルチ装置は、前方に畝成形装置を、後方にマルチ装置を装備し、
前記畝成形装置は、
前記トラクタが走行するにしたがって前記土寄せ板は前記深耕畝の左右の盛り土を中央に寄せて前記種芋に覆土して、次いで丸型成形板は半丸状で基端から後方に向けて尻しぼみに傾斜して漏斗状をなして、成形畝の表面を圧縮鎮圧し、
前記丸型成形板の上部には錘を乗せる載置台を設け、
前記丸型成形板は、弾性を有する鋼板で成形された半丸状断面を有すると共に、畝頂部高さを変更する調整手段を具備し、
前記マルチ装置のフイルム支持部は、畝中心部に対して左右の位置変更装置が具備されており、
前記八字状に配置した一対の土寄せ板の側方であって前記トラクタの車輪後方側には跡けし爪を有し、前記丸型成形板と前記フイルム支持部との間には、整地デスクを設けた、ことを特徴とした長いもの種芋用の畝立てマルチ装置。
【発明の詳細な説明】
【技術分野】
【０００１】  本発明は、トラクタの後部に連結して、深耕畝の開口溝に長いもの種芋を植え付けし、その種芋周囲に覆土した後に丸畝を成形すると同時にマルチフイルムを施設する畝立てマルチ装置に関するものである。
【背景技術】
【０００２】  従来から耕耘された土地に畝を成形しながら、自動的にマルチングシートを施設する畝立てマルチ装置に関するものは種々提案されている。例えば、左右の溝切り板で規制された幅で、且つスプリングの弾力を調節可能とした抑圧板よって高さ及び硬さを調整された畝が形成され且つ、この畝上にマルチシートが連続的に施設される技術が開示されている（特許文献１）。
また畝の幅や高さ及びマルチフイルムの幅に合わせて、畝成形板の位置や抑え輪及び覆土輪の位置をセットする場合に、回転ハンドルの操作によって、左右に対抗して配置した畝成形板と押さえ板と覆土輪を一体化した状態で同時に、または単独で左右移動調整が可能とした技術が開示される（特許文献２）。
【特許文献】
【０００３】
【特許文献１】実公昭６１−１２７２２公報
【特許文献２】実公平７−１３４８６公報
【発明の概要】
【発明が解決しようとする課題】
【０００４】前述した実公昭６１−１２７２２公報号の明細書に寄れば、垂直状の溝切り板と水平上の押さえ板によって断面直方形の畝が形成され、この押さえ板はスプリング圧により垂直状の圧力をかけるように構成される。この際形成される断面直方形の左右の肩部と側壁は鎮圧されていないのでマルチフイルムの密着性は弱く、時には空気だまりに雑草がはえて雑草の排除作業が大変であった。
また実公平７−１３４８６公報に開示の畝断面は丸型を形成するもので、平畦や高畦等の高さを調整するのに便利な構成を提示しているが、単に畝表面を均すだけなので、時間経過によって、畝の崩れや畝とマルチフイルムの間に隙間が生じて雑草が発生することがあった。
本発明の課題は長いもの種芋を深耕畝の開口溝に植え付けした後に、種芋の周辺に確実に土寄せをして同時に丸畝の表面を圧縮鎮圧した畝を成形してマルチフイルムを密着させて畝が型崩れせず、畝とフイルムの隙間に雑草が生えない畝立てをすることにある。
【課題を解決するための手段】
【０００５】
本発明はトラクタの後部に連結して、深耕畝に開口した溝に植え付けした種芋に対し平面視で八字状に配置した一対の土寄せ板で覆土して丸畝を成形すると同時にマルチフイルムを施設する長いもの種芋用の畝立てマルチ装置であって、長いもの種芋用の畝立てマルチ装置は、前方に畝成形装置を、後方にマルチ装置を装備し、前記畝成形装置は、前記トラクタが走行するにしたがって前記土寄せ板は前記深耕畝の左右の盛り土を中央に寄せて前記種芋に覆土して、次いで丸型成形板は半丸状で基端から後方に向けて尻しぼみに傾斜して漏斗状をなして、成形畝の表面を圧縮鎮圧し、前記丸型成形板の上部には錘を乗せる載置台を設け、前記丸型成形板は、弾性を有する鋼板で成形された半丸状断面を有すると共に、畝頂部高さを変更する調整手段を具備し、前記マルチ装置のフイルム支持部は、畝中心部に対して左右の位置変更装置が具備されており、前記八字状に配置した一対の土寄せ板の側方であって前記トラクタの車輪後方側には跡けし爪を有し、前記丸型成形板と前記フイルム支持部との間には、整地デスクを設けた、ことを特徴とした長いもの種芋用の畝立てマルチ装置である。
【発明の効果】
【０００６】丸型成形板は基端から後方に向けて尻しぼみに傾斜しているので、畝の表面に圧縮鎮圧作用を成し、マルチフイルムは圧縮された畝の表面の復元力によってより密着される。従って雑草の生える空隙の余地がなく、同時に丸畝の形状は長く保持される。また、丸型成形板の上部に錘を搭載すると圧縮成形がより確実になり、走行も速くできる。また、丸型成形板は半丸状断面から、畝頂部高さを変更して、さらに高畦に設定すると、東北、北海道の春の遅い地域ではマルチの効果が長くなる。また、畝のカーブなどにおいて、マルチフイルムのスリット位置のずれが発生した時は、作業途中においてマルチ施設装置の操作レバーによって左右調整して畝中心と合致可能である。
【図面の簡単な説明】
【０００７】
【図１】は本発明を実施した外観側面図
【図２】は丸型成形板の斜視図
【図３】はマルチ装置の取り付け部斜視図
【図４】は丸型成形板の三面説明図
【図５】は土寄せ板と丸型成形板の作用説明図
【図６】長いも植え付け畝の成形説明図
【発明を実施するための形態】
【０００８】本発明は、トラクタの後部に連結して、植え付けした種芋に対し覆土して丸畝を成形すると同時にマルチフイルムを施設する畝立て装置において、丸型成形板は半丸状で基端から後方に向けて尻しぼみに傾斜して漏斗状をなして、成形畝の表面を圧縮鎮圧することを特徴とした長いも等の畝立てマルチ装置であり、さらに丸型成形板の上部に錘を乗せる載置台を設けて、かつ、丸型成形板は弾性を有する鋼板で成形され半丸状断面から、畝頂部高さを変更する調整手段を具備した長いも等の畝立てマルチ装置の構成である。
【実施例】
【０００９】
図１は本発明を実施した外観側面図を示し、トラクタ後部１に公知の三点リンクであるトップリンク３３とロアリンク３４によって、畝立てマルチ装置を支承している機枠２を連結したものである。機枠２は前方に畝成形装置３を装備して、後方に４のマルチ装置を装備している。畝成形装置２は一対の土寄せ板５と、６の丸型成形板とから構成される。１２は機枠２と丸型成形板６の取り付け金具１３と繋ぐ支持棒である。４のマルチ装置はマルチフイルム８の支持部である１４の連結枠に支承される。マルチ装置４はフイルムを畝に案内する押さえローラー９、マルチフイルム８をしっかり押さえる押圧車輪１０、マルチフイルムの左右端に覆土する覆土デスク、フイルムの位置中心を左右に調整する操作レバー１５から構成されている。７は整地デスクを示しマルチフイルム８を施設する直前に整地するものである。３５は跡けし爪を示しトラクタの車輪の走行跡を耕起して畑地が硬化するのを防止する。
図２は丸型成形板６の斜視図を示し、断面半丸で弾性の有する金属の支持カバー３０と３１の内壁からなり内壁は合成樹脂製である。上部には左右のサイドリンク１７と、中央には水平に上部リンク１６が横架される。上部リンク１６の中央にはボス部１８が設けられて、ねじ軸１９によって支持カバー３０の頂部と連結される。１３は連結金具である。ねじ軸１９はボス部１８によって上下に伸縮されて、丸型成形板６の支持カバー３０の頂部を高くして高畦形状を形成し、また頂部を低くして広幅台形の畝断面を形成する。３２は錘を示し、畝成形装置３の上部の機枠２に載置されて、丸型成形板６に押圧力を与えて畝の圧縮鎮圧作用を確実にする。
【００１０】図３はマルチ装置の取り付け部斜視図であり、１４は連結枠で前記した機枠２の後部に連結される。２３は横枠で左右端にサイド枠２４を垂設して下部の支軸２５によってマルチフイルム８を支承する。１５は操作レバーで受枠２０の軸支部２１に回動自在に固着される。操作レバー１５の下方には長穴が設けられて横枠２２が連結枠１４に対して横に摺動自在に支持されている。９は押さえローラを示しマルチフイルム支軸２５の前方に配置されて横枠２３に一体的に固着されている。操作レバー１５を必要によって左右の何れかに搖動すれば下方の長孔２２を介して横枠２３を摺動させてマルチフイルム８の絶対位置が移動され、成形畝の中心部に対するズレを修正する。この時横枠２３に一体的な押さえローラ９も同時に移動するので操作レバー１５の操作に対して作用が同期して押さえローラ９の押さえも確実である。２８は芽だし用のスリットである。図４は丸型成形板の三面説明図であり、基端に対して後方に向けて先細りで漏斗状に形成される。図４の（イ）は側面図で後方に向けて角度Ａの傾斜角度を有している。図４の（ロ）は平面図で左右の側部は角度Ｂの傾斜を有している。
図４の（ハ）は後面図で丸型成形板の頂部高さＨを示し、図２のボス部１８のナットとねじ軸１９によって高さＨが調整される。
図５は土寄せ板と丸型成形板の作用説明図であり、２６は深耕畝に口開けされた溝に植え付けた種芋を示し、５は平面視で八字状に配置した土寄せ板であり、６は半丸状の丸型成形板を示す。トラクタが走行するにしたがって土寄せ板５は深耕畝の左右の盛り土を中央に寄せて種芋に覆土して、次いで丸型成形板６がその傾斜角度Ａ，Ｂによって圧縮成形した畝を形成する。図６は長いも植え付け畝の成形説明図であり、図６の（イ）は深耕畝に開口した溝に２６の種芋を植え付けした状態を示し、２９は溝を開口したとき左右に放出された盛り土である。図６の（ロ）はマルチフイルム８で被覆した丸型畝の断面を示している。２８は予め穿設した芽だし用のスリットを示している。
【産業上の利用可能性】
【００１１】本発明の長いも等の畝立てマルチ装置は、長芋栽培における芽だしの温度と根茎の成長を促す丸型マルチ畝を形成するもので、特に春が遅い東北や北海道の地域での貢献が期待されている。
【符号の説明】
【００１２】１  トラクタ後部              ２  機枠
３  畝成形部                  ４  マルチ装置
５  土寄せ板                  ６  丸型成形板
７  整地デスク                ８  マルチフイルム
９  押さえローラ            １０  押圧車輪
１１  覆土デスク            １２  支持棒
１３  取り付け金具          １４  連結枠
１５  操作レバー            １６  上部リンク
１７  サイドリンク          １８  ボス部
１９  ねじ軸                ２０  受け棒
２１  軸支部                ２２  長孔
２３  横枠                  ２４  サイド枠
２５  支軸                  ２６  種芋
２７  成形畝                ２８  スリット
２９  盛り土                ３０  支持バー
３１  内壁                  ３２  錘
３３  トップリンク          ３３  ロアリンク
３４  跡けし爪
【図１】
0006309920.tif 000002
【図２】
0006309920.tif 000003
【図３】
0006309920.tif 000004
【図４】
0006309920.tif 000005
【図５】
0006309920.tif 000006
【図６】
0006309920.tif 000007